(57)【要約】【課題】十分な肘の高さを確保しつつオーバーヘッド動作前後の運動動作を妨げ難くすることができるサポートウェアを提供する。【解決手段】サポートウェア１は、本体部１０と、補助部材２０とを備えている。補助部材２０は、第１ストレッチ部材２１と、第２ストレッチ部材２２とを含んでいる。第１ストレッチ部材２１は、上半身に本体部１０が装着されたときに、上半身に本体部１０が装着される前よりも伸びており、縮もうとすることにより肩に対して上腕を上げる力を作用させるように構成されている。第２ストレッチ部材２２は、上半身に本体部が装着されたときに、上半身に本体部が装着される前よりも伸びており、縮もうとすることにより一対の肩甲骨を互いに寄せる力を作用させるように構成されている。【選択図】図３
2020063529.tif 000002
【特許請求の範囲】
【請求項１】
装着者のオーバーヘッド動作を補助するためのサポートウェアであって、
前記装着者の上半身に装着可能な本体部と、
前記本体部に取り付けられ、かつ前記本体部よりも難伸性を有する補助部材とを備え、
前記補助部材は、前記装着者の補助される腕側の肩および上腕の上に連続して配置される第１ストレッチ部材と、
前記第１ストレッチ部材に接続され、かつ前記装着者の一対の肩甲骨の上に連続して配置される第２ストレッチ部材とを含み、
前記第１ストレッチ部材は、前記上半身に前記本体部が装着されたときに、前記上半身に前記本体部が装着される前よりも伸びており、縮もうとすることにより前記肩に対して前記上腕を上げる力を作用させるように構成されており、
前記第２ストレッチ部材は、前記上半身に前記本体部が装着されたときに、前記上半身に前記本体部が装着される前よりも伸びており、縮もうとすることにより前記一対の肩甲骨を互いに寄せる力を作用させるように構成されている、サポートウェア。
【請求項２】
前記第１ストレッチ部材および前記第２ストレッチ部材は、前記本体部に縫製または接着より取り付けられている、請求項１に記載のサポートウェア。
【請求項３】
前記第１ストレッチ部材および前記第２ストレッチ部材は、前記本体部に塗布された樹脂により構成されている、請求項１に記載のサポートウェア。
【請求項４】
前記補助部材は、前記第２ストレッチ部材に接続された第１アンカーを含み、
前記第１アンカーは、前記装着者の前記補助される腕側と反対側の腕の付け根に沿って前記腕の周方向に配置されている、請求項１〜３のいずれか１項に記載のサポートウェア。
【請求項５】
前記第１アンカーは、前記本体部に縫製または接着より取り付けられている、請求項４に記載のサポートウェア。
【請求項６】
前記第１アンカーは、前記本体部に塗布された樹脂により構成されている、請求項４に記載のサポートウェア。
【請求項７】
前記第１ストレッチ部材は、前記装着者の前記補助される腕側の前記肩から肘にかけて螺旋状に配置されている、請求項１〜５のいずれか１項に記載のサポートウェア。
【請求項８】
前記補助部材は、前記第１ストレッチ部材に接続された第２アンカーを含み、
前記第２アンカーは、前記装着者の前記補助される腕に沿って前記補助される腕の周方向に配置されている、請求項１〜７のいずれか１項に記載のサポートウェア。
【請求項９】
前記第２アンカーは、前記本体部に縫製または接着より取り付けられている、請求項８に記載のサポートウェア。
【請求項１０】
前記第２アンカーは、前記本体部に塗布された樹脂により構成されている、請求項８に記載のサポートウェア。
【請求項１１】
前記第２アンカーは、前記装着者の前記補助される腕の周方向の寸法を調整可能に構成されている、請求項８〜１０のいずれか１項に記載のサポートウェア。
【発明の詳細な説明】
【技術分野】
【０００１】
本発明は、装着者のオーバーヘッド動作を補助するためのサポートウェアに関するものである。
【背景技術】
【０００２】
オーバーヘッド動作として、例えば、野球のピッチング、バレーボールのスパイク、バドミントンのスマッシュ、テニスのサーブ、水泳のクロール等の動作が挙げられる。オーバーヘッド動作では、動作者の手が肩よりも上側に上げられる。オーバーヘッド動作においては、動作者の肘の高さが不足すると、動作者の肘および肩を故障し易いことが知られている。
【０００３】
例えば、特開２０１２−１１５２８９号公報（特許文献１）には、投球動作補助ウェアが記載されている。この公報に記載された投球動作補助ウェアでは、肘の位置が下がらないように投球フォームを矯正することができる。
【先行技術文献】
【特許文献】
【０００４】
【特許文献１】特開２０１２−１１５２８９号公報
【発明の概要】
【発明が解決しようとする課題】
【０００５】
上記公報に記載された投球動作補助ウェアでは、肘の位置が下がらないようにするため、オーバーヘッド動作前後も肘の位置が下がりにくい。したがって、オーバーヘッド動作前後の運動動作が妨げられるおそれがある。
【０００６】
本発明は上記課題に鑑みてなされたものであり、十分な肘の高さを確保しつつオーバーヘッド動作前後の運動動作を妨げ難くすることができるサポートウェアを提供することである。
【課題を解決するための手段】
【０００７】
本発明のサポートウェアは、装着者のオーバーヘッド動作を補助するためのサポートウェアである。サポートウェアは、装着者の上半身に装着可能な本体部と、本体部に取り付けられ、かつ本体部よりも難伸性を有する補助部材とを備えている。補助部材は、装着者の補助される腕側の肩および上腕の上に連続して配置される第１ストレッチ部材と、第１ストレッチ部材に接続され、かつ装着者の一対の肩甲骨の上に連続して配置される第２ストレッチ部材とを含んでいる。第１ストレッチ部材は、上半身に本体部が装着されたときに、上半身に本体部が装着される前よりも伸びており、縮もうとすることにより肩に対して上腕を上げる力を作用させるように構成されている。第２ストレッチ部材は、上半身に本体部が装着されたときに、上半身に本体部が装着される前よりも伸びており、縮もうとすることにより一対の肩甲骨を互いに寄せる力を作用させるように構成されている。
【０００８】
本発明のサポートウェアによれば、第１ストレッチ部材により肩に対して上腕を上げる力を作用させることができる。このため、肩に対して上腕を上げることが容易となる。また、第２ストレッチ部材により一対の肩甲骨を互いに寄せる力を作用させることができる。このため、一対の肩甲骨を互いに寄せることが容易となる。したがって、胸を反らして上腕を上げることが容易となるため、十分な肘の高さを確保することができる。さらに、オーバーヘッド動作前後の運動動作において肘の位置を下げることが容易である。このためオーバーヘッド動作前後の運動動作を妨げ難くすることができる。
【０００９】
上記のサポートウェアにおいて、好ましくは、第１ストレッチ部材および第２ストレッチ部材は、本体部に縫製または接着より取り付けられている。このため、第１ストレッチ部材および第２ストレッチ部材を本体部に取り付けることが容易である。
【００１０】
上記のサポートウェアにおいて、好ましくは、第１ストレッチ部材および第２ストレッチ部材は、本体部に塗布された樹脂により構成されている。このため、樹脂プリントにより第１ストレッチ部材および第２ストレッチ部材を本体部に取り付けることができる。
【００１１】
上記のサポートウェアにおいて、好ましくは、補助部材は、第２ストレッチ部材に接続された第１アンカーを含んでいる。第１アンカーは、装着者の補助される腕側と反対側の腕の付け根に沿って腕の周方向に配置されている。このため、第１アンカーにより補助部材を装着者の補助される腕側と反対側の腕の付け根に固定することができる。
【００１２】
上記のサポートウェアにおいて、好ましくは、第１アンカーは、本体部に縫製または接着より取り付けられている。このため、第１アンカーを本体部に取り付けることが容易である。
【００１３】
上記のサポートウェアにおいて、好ましくは、第１アンカーは、本体部に塗布された樹脂により構成されている。このため、樹脂プリントにより第１アンカーを本体部に取り付けることができる。
【００１４】
上記のサポートウェアにおいて、好ましくは、第１ストレッチ部材は、装着者の補助される腕側の肩から肘にかけて螺旋状に配置されている。このため、第１ストレッチ部材により装着者の肩関節の外旋可動域または内旋可動域を十分に確保することができる。
【００１５】
上記のサポートウェアにおいて、好ましくは、補助部材は、第１ストレッチ部材に接続された第２アンカーを含んでいる。第２アンカーは、装着者の補助される腕に沿って補助される腕の周方向に配置されている。このため、第２アンカーにより補助部材を装着者の補助される腕に固定することができる。
【００１６】
上記のサポートウェアにおいて、好ましくは、第２アンカーは、本体部に縫製または接着より取り付けられている。このため、第２アンカーを本体部に取り付けることが容易である。
【００１７】
上記のサポートウェアにおいて、好ましくは、第２アンカーは、本体部に塗布された樹脂により構成されている。このため、樹脂プリントにより第２アンカーを本体部に取り付けることができる。
【００１８】
上記のサポートウェアにおいて、好ましくは、第２アンカーは、装着者の補助される腕の周方向の寸法を調整可能に構成されている。このため、装着者の腕のサイズにあわせて、第２アンカーの寸法を調整することができる。したがって、装着者の個人差にあわせて第２アンカーを取り付けることができる。
【発明の効果】
【００１９】
以上説明したように、本発明のサポートウェアによれば、十分な肘の高さを確保しつつオーバーヘッド動作前後の運動動作を妨げ難くすることができる。
【図面の簡単な説明】
【００２０】
【図１】本発明の実施の形態１に係るサポートウェアの構成を概略的に示す正面図である。
【図２】本発明の実施の形態１に係るサポートウェアの構成を概略的に示す背面図である。
【図３】本発明の実施の形態１に係るサポートウェアの第１ストレッチ部材および第２ストレッチ部材が本体部に取り付けられた構造を概略的に示す断面図である。
【図４】本発明の実施の形態１に係るサポートウェアのオーバーヘッド動作時の構成を概略的に示す背面図である。
【図５】本発明の実施の形態２に係るサポートウェアの構成を概略的に示す正面図である。
【図６】本発明の実施の形態２に係るサポートウェアの構成を概略的に示す背面図である。
【図７】本発明の実施の形態２に係るサポートウェアの第１アンカーが本体部に取り付けられた構造を概略的に示す断面図である。
【図８】本発明の実施の形態２に係るサポートウェアのオーバーヘッド動作時の構成を概略的に示す背面図である。
【図９】本発明の実施の形態３に係るサポートウェアの構成を概略的に示す正面図である。
【図１０】本発明の実施の形態３に係るサポートウェアの構成を概略的に示す背面図である。
【図１１】本発明の実施の形態３に係るサポートウェアのオーバーヘッド動作時の構成を概略的に示す背面図である。
【図１２】本発明の実施の形態３に係るサポートウェアの変形例の構成を概略的に示す正面図である。
【図１３】本発明の実施の形態３に係るサポートウェアの変形例の構成を概略的に示す背面図である。
【図１４】本発明の実施の形態４に係るサポートウェアの構成を概略的に示す正面図である。
【図１５】本発明の実施の形態４に係るサポートウェアの構成を概略的に示す背面図である。
【図１６】本発明の実施の形態４に係るサポートウェアのオーバーヘッド動作時の構成を概略的に示す背面図である。
【図１７】本発明の実施の形態５に係るサポートウェアの構成を概略的に示す背面図である。
【発明を実施するための形態】
【００２１】
以下、図面を参照して、本発明の実施の形態について説明する。なお、特に言及しない限り、以下の図面において、同一または相当する部分には同一の参照符号を付し、その説明を繰り返さない。
【００２２】
（実施の形態１）
図１〜図４を参照して、本発明の実施の形態１に係るサポートウェア１の構成について説明する。図１および図２に示されるように、本実施の形態に係るサポートウェア１は、装着者のオーバーヘッド動作を補助するためのものである。オーバーヘッド動作とは、動作者の手が肩よりも上側に上げられる動作である。オーバーヘッド動作として、例えば、野球のピッチング、バレーボールのスパイク、バドミントンのスマッシュ、テニスのサーブ、水泳のクロール等の動作が挙げられる。本実施の形態に係るサポートウェア１は、本体部１０と、補助部材２０とを主に備えている。
【００２３】
本体部１０は、装着者の上半身に装着可能に構成されている。本実施の形態に係るサポートウェア１では、本体部１０は、装着者の上半身に装着可能なウェアである。本体部１０は、伸縮可能に構成されている。本体部１０は、伸縮性を有する生地により構成されている。
【００２４】
本体部１０の生地は、一種類の伸縮性生地で構成されてもよいし、複数の種類の伸縮性生地を組み合わせて構成されてもよい。本体部１０の生地としては、例えば、ポリエステル、ポリウレタンなどから選ばれる繊維を組み合わせた編地もしくは織物などを用いることができる。
【００２５】
本体部１０は、例えば、トリコットで構成されている。このトリコットの組成は、例えば、ポリエステル８５質量％およびポリウレタン１５質量％である。このトリコットの目付けは、例えば、１９４ｇ／ｍ2である。このトリコットの１７．６Ｎ伸長率（縦）は１７２％であり、１７．６Ｎ伸長率（横）は１３０％である。ここで、１７．６Ｎ伸長率（縦）とは、１７．６Ｎの荷重を生地にかけたときの縦方向の伸長率であり、１７．６伸長率（横）とは、１７．６Ｎの荷重を生地にかけたときの横方向の伸長率である。
【００２６】
本体部１０は、装着者の一対の肩甲骨に配置される部分では、一対の肩甲骨を互いに寄せるように、周方向（横方向）の伸長率が小さくなるように生地が配置されている。また、本体部１０は、装着者の腕周りでは補助部材２０の長軸方向では強く引っ張るために伸長率を小さくし、周方向では伸びるように伸長率を大きくするように生地が配置されていてもよい。
【００２７】
本体部１０は、装着者の上半身に本体部１０が装着されたときに、装着者の上半身に本体部１０が装着される前の状態よりも伸びるように構成されている。本体部１０は、装着者の上半身に本体部１０が装着されたときに、装着者の上半身に対する位置が変化し難いように構成されている。つまり、本体部１０は、装着者の上半身に装着された状態で、オーバーヘッド動作を含む運動動作が行われたときに、装着者の上半身に対してずれ難いように構成されている。
【００２８】
本体部１０は、ネック部１１と、一対の袖部１２と、一対の肩部１３と、胴体部１４とを含んでいる。ネック部１１は、装着者の首を受け入れ可能に構成されている。一対の袖部１２の各々は、装着者の両方の腕の各々をそれぞれ受け入れ可能に構成されている。一方の袖部１２は、装着者の一方の腕を受け入れ可能に構成されており、他方の袖部１２は、装着者の他方の腕を受け入れ可能に構成されている。一対の袖部１２の各々は、上腕部１２ａと、前腕部１２ｂとを含んでいる。上腕部１２ａは、装着者の上腕を受け入れ可能に構成されている。前腕部１２ｂは、装着者の前腕を受け入れ可能に構成されている。
【００２９】
一対の袖部１２の各々は、一対の肩部１３の各々にそれぞれ連続して設けられている。一対の肩部１３の各々は、装着者の両方の肩の各々をそれぞれ受け入れ可能に構成されている。一方の肩部１３は、装着者の一方の肩を受け入れ可能に構成されており、他方の肩部１３は、装着者の他方の肩を受け入れ可能に構成されている。胴体部１４は、装着者の胴体を受け入れ可能に構成されている。
【００３０】
本体部１０は、装着者の上半身に装着されたときに、袖部１２が装着者の手首付近にまで達する長袖型の形状を有している。なお、本体部１０の形状としては、長袖型以外の任意の形状を採用することが可能である。たとえば、装着時に袖部１２が装着者の上腕までを覆う半袖型の構造を採用することが可能である。また、本体部１０の形状としては、装着時に袖部１２が装着者の前腕の中央付近にまで達する七部袖型の構造を採用することも可能である。本体部１０の袖部１２の長さは、装着者の肩から上腕までを覆う長さであればよい。また、本体部１０のネック部１１、胴体部１４の形状も任意に選択可能である。
【００３１】
本体部１０が胴体部１４を有することにより、装着時に投球動作などのオーバーヘッド動作が行なわれても、本来の装着すべき位置から本体部１０が大きく上側および下側等にずれることを抑制することができる。このため、オーバーヘッド動作時においても、本来の装着位置から大きくずれることなく、安定した装着状態を維持することができる。
【００３２】
図２および図３に示されるように、補助部材２０は、本体部１０に取り付けられている。補助部材２０は、本体部１０に密着している。補助部材２０は、本体部１０の外面（表面）に取り付けられている。なお、補助部材２０は、本体部１０の内面（裏面）に取り付けられていてもよい。
【００３３】
補助部材２０は、伸縮可能に構成されている。補助部材２０は、伸縮性を有する素材により構成されている。補助部材２０は、本体部１０よりも難伸性を有する。つまり、補助部材２０は、本体部１０よりも伸び難くなるように構成されている。
【００３４】
補助部材２０の素材は、一種類の伸縮性生地で構成されていてもよいし、複数の種類の伸縮性生地を組み合わせて構成されてもよい。補助部材２０の生地としては、例えば、ポリエステル、ポリウレタン、ナイロンなどから選ばれる繊維を組み合わせた編地もしくは織物などを用いることができる。
【００３５】
補助部材２０は、例えば、ストレッチ布帛、パワーメッシュで構成されている。このストレッチ布帛の組成は、例えば、ポリエステル８２質量％およびポリウレタン１８質量％である。このストレッチ布帛の目付けは、例えば、１７０ｇ／ｍ2である。このストレッチ布帛の１７．６Ｎ伸長率（縦）は４８％であり、１７．６Ｎ伸長率（横）は３３．６％である。また、このパワーメッシュの組成は、例えば、ナイロン８３質量％およびポリウレタン１７質量％である。このパワーメッシュの目付けは、例えば、１８０ｇ／ｍ2である。このパワーメッシュの１７．６Ｎ伸長率（縦）は９３％であり、１７．６Ｎ伸長率（横）は３７％である。
【００３６】
図１および図２に示されるように、補助部材２０は、第１ストレッチ部材２１と、第２ストレッチ部材２２とを含んでいる。第１ストレッチ部材２１は、装着者の補助される腕側の肩および上腕の上に連続して配置される。第１ストレッチ部材２１は、装着者の補助される腕側の肩および上腕の少なくとも一部の上に配置される。第１ストレッチ部材２１は、装着者の補助される腕側の肩から上腕の肩側の部分まで連続して配置される。第１ストレッチ部材２１は、装着者の補助される腕側の肩および上腕の上側を覆うように配置される。第１ストレッチ部材２１は、本体部１０において装着者の補助される腕側の肩部１３および上腕部１２ａの上に連続して配置される。
【００３７】
第１ストレッチ部材２１は、装着者の上半身に本体部１０が装着されたときに、上半身に本体部１０が装着される前よりも伸びており、縮もうとすることにより肩に対して上腕を上げる力を作用させるように構成されている。装着者の上半身に本体部１０が装着されたときに、第１ストレッチ部材２１は元の状態よりも伸びた状態となっており、第１ストレッチ部材２１が元の状態に縮もうとすることにより、肩よりも上腕を上側に上げる力が作用する。
【００３８】
図２および図４に示されるように、第２ストレッチ部材２２は、第１ストレッチ部材２１に接続されている。なお、図４では、説明の便宜のため装着者の一方の上腕骨３０および肩甲骨４０周辺の骨および筋肉が示されている。第２ストレッチ部材２２は、第１ストレッチ部材２１と連続的に設けられている。第２ストレッチ部材２２は、第１ストレッチ部材２１と一体的に構成されていてもよい。
【００３９】
第２ストレッチ部材２２は、装着者の背中の上に配置される。第２ストレッチ部材２２は、装着者の一対の肩甲骨４０の上に連続して配置される。第２ストレッチ部材２２は、装着者の一対の肩甲骨４０のそれぞれの上に配置されている。第２ストレッチ部材２２の装着者の一対の肩甲骨４０のそれぞれの上に配置された部分は互いに接続されている。第２ストレッチ部材２２は、装着者の補助される腕側の肩甲骨４０の上に配置された部分と、装着者の補助される腕と反対側の肩甲骨４０の上に配置された部分と、これらの部分をつなぐ接続部とを含んでいる。
【００４０】
第２ストレッチ部材２２は、装着者の上半身に本体部１０が装着されたときに、上半身に本体部１０が装着される前よりも伸びており、縮もうとすることにより一対の肩甲骨を互いに寄せる力を作用させるように構成されている。装着者の上半身に本体部１０が装着されたときに、第２ストレッチ部材２２は元の状態よりも伸びた状態となっており、第２ストレッチ部材２２が元の状態に縮もうとすることにより、一対の肩甲骨を互いに寄せる力が作用する。
【００４１】
第２ストレッチ部材２２は、装着者の肩甲骨４０および棘上筋５１の少なくとも一部の上に配置される。第２ストレッチ部材２２は、本体部１０において、装着者の肩甲骨４０および棘上筋５１に相当する部分の少なくとも一部に設けられている。このため、第２ストレッチ部材２２は、肩甲骨４０を背中の中心に寄せるように力を作用させることができる。これにより、装着者の胸を張らせることができる。なお、第２ストレッチ部材２２は、装着者の肩甲骨４０および棘上筋５１に加えて、棘下筋５２および小円筋５３の上に配置されていてもよい。これにより、第２ストレッチ部材２２が一対の肩甲骨４０を互いに寄せる力を強化することができる。
【００４２】
第２ストレッチ部材２２は、第１部材２２ａと、第２部材２２ｂとを含んでいる。第１部材２２ａは、第２部材２２ｂよりもネック部１１の近くに配置されている。第１部材２２ａと第２部材２２ｂとの間には隙間ＧＰが設けられている。この隙間ＧＰにより一対の肩甲骨を互いに寄せるように移動させることが容易となる。このため、オーバーヘッド動作時に装着者の肘を上げ易くすることができる。
【００４３】
図３および図４に示されるように、第１ストレッチ部材２１および第２ストレッチ部材２２は、本体部１０に縫製または接着より取り付けられている。また、第１ストレッチ部材２１および第２ストレッチ部材２２は、本体部１０に塗布された樹脂により構成されていてもよい。
【００４４】
次に、本実施の形態に係るサポートウェア１の作用効果について説明する。
肩関節は複雑な構造を有しているため、アライメントの影響が大きい。そのため、適切な動作フォームを習得することにより良好な動的アライメントを獲得する必要がある。オーバーヘッド動作では、動作者の肘および肩の故障を抑制するために、動作者の肘の高さを高くすることが重要である。動作者の肘の高さを高くすることにより、肩甲上腕関節面の適合がよくなる。これにより、動作者の肘および肩の故障に対する安全性を高めることが可能となる。また、動作者のパフォーマンスを向上させることも可能となる。
【００４５】
本実施の形態に係るサポートウェア１によれば、装着者の上半身に本体部１０が装着された状態で装着者が上腕を下げると、補助部材２０が伸びるため、補助部材２０が縮もうとすることで装着者の上腕を上げるように力が作用する。つまり、第１ストレッチ部材２１により肩に対して上腕を上げる力を作用させることができる。このため、肩に対して上腕を上げることが容易となる。また、第２ストレッチ部材２２により一対の肩甲骨を互いに寄せる力を作用させることができる。このため、一対の肩甲骨を互いに寄せることが容易となる。したがって、胸を反らして上腕を上げることが容易となるため、十分な肘の高さを確保することができる。さらに、オーバーヘッド動作前後の運動動作において肘の位置を下げることが容易である。このため、オーバーヘッド動作前後の運動動作を妨げ難くすることができる。
【００４６】
例えば、野球の投球動作では、動作者の肘の高さを高くすることにより、肩甲上腕関節面の適合がよくなるため、いわゆる野球肘および野球肩の発症を抑制することが可能となる。
【００４７】
本実施の形態に係るサポートウェア１においては、第１ストレッチ部材２１および第２ストレッチ部材２２は、本体部１０に縫製または接着より取り付けられている。このため、第１ストレッチ部材２１および第２ストレッチ部材２２を本体部１０に取り付けることが容易である。
【００４８】
本実施の形態に係るサポートウェア１においては、第１ストレッチ部材２１および第２ストレッチ部材２２は、本体部１０に塗布された樹脂により構成されている。このため、樹脂プリントにより第１ストレッチ部材２１および第２ストレッチ部材２２を本体部１０に取り付けることができる。
【００４９】
（実施の形態２）
図５〜図８を参照して、本発明の実施の形態２に係るサポートウェア１の構成について説明する。図５および図６に示されるように、本実施の形態に係るサポートウェア１は、第１アンカー２３を備えている点で実施の形態１に係るサポートウェア１と異なっている。
【００５０】
本実施の形態では、補助部材２０は、第１アンカー２３を含んでいる。第１アンカー２３は、補助部材２０を装着者に固定するためのものである。第１アンカー２３は、補助部材２０のずれを抑制可能に構成されている。第１アンカー２３は、第１ストレッチ部材２１および第２ストレッチ部材２２と同じ材料で構成されていてもよい。また、第１アンカー２３は、第１ストレッチ部材２１および第２ストレッチ部材２２よりも難伸性を有していてもよい。
【００５１】
第１アンカー２３は、装着者の補助される腕側と反対側の腕の付け根に沿って腕の周方向に配置されている。第１アンカー２３は、腕の周方向の全周にわたって配置されている。なお、第１アンカー２３は、補助部材２０のずれを抑制できればよく、腕の周方向の全周にわたって配置されていなくてもよい。
【００５２】
図６および図７に示されるように、第１アンカー２３は、本体部１０に取り付けられている。第１アンカー２３は、本体部１０に縫製または接着より取り付けられている。また、第１アンカー２３は、本体部１０に塗布された樹脂により構成されていてもよい。
【００５３】
図６および図８に示されるように、第１アンカー２３は、装着者の補助される腕側と反対側の腕の付け根に沿って肩および胴体に配置されている。第１アンカー２３は、本体部１０において装着者の補助される腕側と反対側の袖部１２の付け根に沿って肩部１３および胴体部１４に配置されている。つまり、第１アンカー２３は、本体部１０においてアームホールに沿って肩部１３および胴体部１４に配置されている。第１アンカー２３が装着者の肩および胴体を締め付けることにより補助部材２０のずれを抑制することができる。また、第１アンカー２３は、装着者の補助される腕側と反対側の腕の運動動作を妨げにくくすることが可能である。
【００５４】
さらに、第１アンカー２３は、装着者の補助される腕の付け根に沿って肩および胴体にも配置されていてもよい。つまり、第１アンカー２３は、装着者の補助される腕側と反対側の腕の付け根に沿って肩および胴体に配置されるとともに、装着者の補助される腕の付け根に沿って肩および胴体に配置されていてもよい。
【００５５】
本実施の形態に係るサポートウェア１においては、第１アンカー２３は、装着者の補助される腕側と反対側の腕の付け根に沿って腕の周方向に配置されている。このため、第１アンカー２３により補助部材２０を装着者の補助される腕側と反対側の腕の付け根に固定することができる。したがって、第１アンカー２３により補助部材２０のずれを抑制することができる。
【００５６】
本実施の形態に係るサポートウェア１においては、第１アンカー２３は、本体部１０に縫製または接着より取り付けられている。このため、第１アンカー２３を本体部１０に取り付けることが容易である。
【００５７】
本実施の形態に係るサポートウェア１においては、第１アンカー２３は、本体部１０に塗布された樹脂により構成されている。このため、樹脂プリントにより第１アンカー２３を本体部１０に取り付けることができる。
【００５８】
（実施の形態３）
図９〜図１１を参照して、本発明の実施の形態３に係るサポートウェア１の構成について説明する。図９および図１０に示されるように、本実施の形態に係るサポートウェア１では、補助部材２０の構造が実施の形態１に係るサポートウェア１と異なっている。
【００５９】
本実施の形態では、第１ストレッチ部材２１は、装着者の補助される腕側の肩から肘にかけて螺旋状に配置されている。第１ストレッチ部材２１は、本体部１０において装着者の補助される腕側の肩部１３から上腕部１２ａを通って前腕部１２ｂに至るように螺旋状に構成されている。
【００６０】
図１１に示されるように、第１ストレッチ部材２１は、装着者の補助される腕側の肩から上腕の正面側に延びてから螺旋状に背面側に延びており、背面側において肘を通っている。第１ストレッチ部材２１は、装着者の補助される腕側の肩から肘にかけて肩関節の内旋方向に螺旋状に延びている。このため、第１ストレッチ部材２１により装着者の補助される腕側の肩関節を外旋させるように力が作用する。
【００６１】
図９〜図１１に示されるように、補助部材２０は、第２アンカー２４を含んでいる。第２アンカー２４は、補助部材２０を装着者に固定するためのものである。第２アンカー２４は、補助部材２０のずれを抑制可能に構成されている。第２アンカー２４は、第１ストレッチ部材２１および第２ストレッチ部材２２と同じ材料で構成されていてもよい。また、第２アンカー２４は、第１ストレッチ部材２１および第２ストレッチ部材２２よりも難伸性を有していてもよい。
【００６２】
第２アンカー２４は、第１ストレッチ部材２１に接続されている。第２アンカー２４は、装着者の補助される腕に沿って補助される腕の周方向に配置されている。第２アンカー２４は、装着者の補助される腕に配置されている。本実施の形態では、第２アンカー２４は、装着者の補助される腕の前腕に配置されている。第２アンカー２４は、本体部１０において装着者の補助される腕に沿って袖部１２の前腕部１２ｂの周方向に配置されている。
【００６３】
第２アンカー２４は、腕の周方向の全周にわたって配置されている。なお、第２アンカー２４は、補助部材２０のずれを抑制できればよく、腕の周方向の全周にわたって配置されていなくてもよい。第２アンカー２４は、本体部１０に縫製または接着より取り付けられている。また、第２アンカー２４は、本体部１０に塗布された樹脂により構成されていてもよい。
【００６４】
続いて、図１２および図１３を参照して、本発明の実施の形態３に係るサポートウェアの変形例について説明する。
【００６５】
図１２および図１３に示されるように、本実施の形態に係るサポートウェア１の変形例では、第１ストレッチ部材２１は、装着者の補助される腕側の肩から上腕の背面側に延びてから正面側に螺旋状に延びており、正面側において肘を通っている。第１ストレッチ部材２１は、装着者の補助される腕側の肩から肘にかけて肩関節の外旋方向に螺旋状に延びている。このため、第１ストレッチ部材２１により装着者の補助される腕側の肩関節を内旋させるように力が作用する。
【００６６】
本実施の形態に係るサポートウェア１においては、第１ストレッチ部材２１は、装着者の補助される腕側の肩から肘にかけて螺旋状に配置されている。このため、第１ストレッチ部材２１が装着者の補助される腕の肩から肘にかけて肩関節の内旋方向に配置されている場合には、第１ストレッチ部材２１により装着者の補助される腕側の肩関節を外旋させるように力を作用させることができる。これにより、装着者の補助される腕側の肩関節の外旋稼働域を広げることが可能となる。また、第１ストレッチ部材２１が装着者の補助される腕の肩から肘にかけて肩関節の外旋方向に配置されている場合には、第１ストレッチ部材２１により装着者の補助される腕側の肩関節を内旋させるように力を作用させることができる。これにより、装着者の補助される腕側の肩関節の内旋稼働域を広げることが可能となる。したがって、第１ストレッチ部材２１により装着者の肩関節の外旋可動域または内旋可動域を十分に確保することができる。
【００６７】
例えば、野球の投球動作では、装着者の肩関節の外旋可動域を十分に確保することにより、肩関節内旋ＲＯＭ（Range Of Motion：関節可動域）が増大するため、球速を向上させることが可能となる。
【００６８】
本実施の形態に係るサポートウェア１においては、第２アンカー２４は、装着者の補助される腕に沿って補助される腕の周方向に配置されている。このため、第２アンカー２４により補助部材２０を装着者の補助される腕に固定することができる。したがって、第２アンカー２４により補助部材２０のずれを抑制することができる。
【００６９】
本実施の形態に係るサポートウェア１においては、第２アンカー２４は、本体部１０に縫製または接着より取り付けられている。このため、第２アンカー２４を本体部１０に取り付けることが容易である。
【００７０】
本実施の形態に係るサポートウェア１においては、第２アンカー２４は、本体部１０に塗布された樹脂により構成されている。このため、樹脂プリントにより第２アンカー２４を本体部１０に取り付けることができる。
【００７１】
（実施の形態４）
図１４〜図１６を参照して、本発明の実施の形態４に係るサポートウェア１の構成について説明する。図１４および図１５に示されるように、本実施の形態に係るサポートウェア１では補助部材２０の構造が実施の形態１に係るサポートウェア１と異なっている。本実施の形態に係るサポートウェア１は、実施の形態１に係るサポートウェア１の構成に加えて、実施の形態２に係るサポートウェア１の第１アンカー２３と、実施の形態３に係るサポートウェア１の第１ストレッチ部材２１の螺旋状構造および第２アンカー２４とを備えている。
【００７２】
図１６に示されるように、本実施の形態に係るサポートウェア１では、第１アンカー２３および第２アンカー２４の両方により補助部材２０を装着者の補助される腕に固定することができる。したがって、第１アンカー２３および第２アンカー２４の両方により補助部材２０のずれを抑制することができるため、補助部材２０のずれをさらに強固に抑制することができる。したがって、第１ストレッチ部材２１および第２ストレッチ部材２２により力を作用させることが容易となる。
【００７３】
（実施の形態５）
図１７を参照して、本発明の実施の形態５に係るサポートウェア１の構成について説明する。図１７に示されるように、本実施の形態に係るサポートウェア１では、第２アンカー２４の構造が実施の形態４に係るサポートウェア１と異なっている。本実施の形態に係るサポートウェア１では、第２アンカー２４は、装着者の補助される腕の周方向の寸法を調整可能に構成されている。
【００７４】
具体的には、第２アンカー２４は、面ファスナー２４ａを含んでいる。面ファスナー２４ａは、互いに係合可能なループ部材２４ａ１およびフック部材２４ａ２を含んでいる。ループ部材２４ａ１とフック部材２４ａ２との係合時にループ部材２４ａ１とフック部材２４ａ２との相対位置を変化させることにより、第２アンカー２４は装着者の補助される腕の周方向の寸法を調整することが可能となる。
【００７５】
なお、第２アンカー２４の構造は、面ファスナー２４ａに限定されず、バックルなどであってもよい。
【００７６】
本実施の形態に係るサポートウェア１においては、第２アンカー２４は、装着者の補助される腕の周方向の寸法を調整可能に構成されている。このため、装着者の腕のサイズにあわせて、第２アンカー２４の寸法を調整することができる。したがって、装着者の個人差にあわせて第２アンカーを取り付けることができる。
【００７７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００７８】
１  サポートウェア、１０  本体部、１１  ネック部、１２  袖部、１３  肩部、１４  胴体部、２０  補助部材、２１  第１ストレッチ部材、２２  第２ストレッチ部材、２３  第１アンカー、２４  第２アンカー、２４ａ  面ファスナー。
【図１】
2020063529.tif 000003
【図２】
2020063529.tif 000004
【図３】
2020063529.tif 000005
【図４】
2020063529.tif 000006
【図５】
2020063529.tif 000007
【図６】
2020063529.tif 000008
【図７】
2020063529.tif 000009
【図８】
2020063529.tif 000010
【図９】
2020063529.tif 000011
【図１０】
2020063529.tif 000012
【図１１】
2020063529.tif 000013
【図１２】
2020063529.tif 000014
【図１３】
2020063529.tif 000015
【図１４】
2020063529.tif 000016
【図１５】
2020063529.tif 000017
【図１６】
2020063529.tif 000018
【図１７】
2020063529.tif 000019